(57)【要約】      （修正有）【課題】呼吸器系に高圧の酸素を呼吸器系に送り込むことなしに、酸素セラピー可能な酸素セラピー装置を提供する。【解決手段】大気圧よりも高い圧力の高圧エアを全身に付与するための酸素セラピー装置本体１０と、該酸素セラピー装置本体１０に接続され、高圧エア供給源と、から構成された酸素セラピー用装置において、酸素セラピー装置本体１０は、呼吸部分が大気に開放されている。【選択図】図１
0003165430.tif 000002
【実用新案登録請求の範囲】
【請求項１】
人体の頭部を除く部位を収納するための酸素セラピー装置本体と、
前記酸素セラピー装置本体に形成され、人体の頭部を除く部位を該酸素セラピー装置本体に挿入するための開口部と、
１つまたは複数の配管によって前記酸素セラピー装置本体に接続され、大気圧より高圧のエアを生成し、該酸素セラピー装置本体の内部に供給する高圧エア供給源と、
を備えた酸素セラピー用装置であって、
前記開口部の周辺部分が弾性体で形成され、人体の頭部を除く部位を前記酸素セラピー装置本体に前記開口部を通じて挿入すると、該弾性体は前記人体の頭部と頭部以外の部位との境目に接触することで前記酸素セラピー装置本体内のエアを封止し、
前記酸素セラピー装置本体内のエアの圧力が１．２気圧〜３．０気圧の範囲になるように、前記高圧エア供給源が生成するエアの圧力を調整することを特徴とする酸素セラピー用装置。
【請求項２】
前記酸素セラピー装置本体が、人体の形状に沿って形成されたスーツ状であることを特徴とする請求項１に記載の酸素セラピー用装置。
【請求項３】
前記スーツ状の前記酸素セラピー装置本体は、人体の頭部を覆うためのフード部と、前記人体の鼻と口部分を覆うためのマスク部と、を有し、前記マスク部は大気と接続されていることを特徴とする請求項２に記載の酸素セラピー用装置。
【考案の詳細な説明】
【技術分野】
【０００１】
本考案は、酸素セラピー用の装置に関する。より詳しくは、スーツ状、寝袋状の装置本体で酸素セラピーを行うことが可能な酸素セラピー用装置に関する。
【背景技術】
【０００２】
現代人は、大気汚染や森林伐採など地球環境的にも、血管の汚れやストレス、運動不足など体内環境的にも酸素不足に陥りがちであるといわれている。
このような酸素不足を解消するために、いわゆる酸素セラピーが行われている。  
【０００３】
酸素セラピーとは、一般に高圧の酸素内に身体を曝して通常の呼吸よりも多くの酸素を身体に供給するセラピーである。
血液中のヘモグロビンと結合して運ばれる結合型酸素のほかに、血液や体液に溶け込み毛細血管にも行き届きやすい溶解型酸素も増えるため身体の隅々まで効率よく酸素が供給されることによって、疲労回復やアンチエイジング（老化防止）、ダイエットなどの効果が期待できると言われている。
【０００４】
このような酸素セラピーには、カプセル内の気圧を上昇させた状態で（２から３気圧）一定時間過ごすことにより、通常の呼吸で得られるよりも多くの酸素を身体に取り込むシステムが用いられている。
【０００５】
通常の大気圧は１気圧で酸素濃度は約２１％であるが、普通に呼吸するよりも身体への酸素供給度を上げることにより健康増進を図る。
呼吸によって取り込まれた酸素は、赤血球中のヘモグロビンと結合して末梢組織まで運ばれる（「結合型酸素」）。しかし、この結合型酸素はヘモグロピンの量より多くは運べず取り込まれる酸素量に限りがあり、また毛細血管は結合型酸素より細いので血管の汚れなどの体内環境要素とあいまって血流が悪くなりがちである。
結合型酸素のほかに血液や体液に分子のまま溶け込んで運ばれる「溶解型酸素」が微量存在する。
この「溶解型酸素」は環境気圧を高めることで血液中に溶解する酸素量を増加させることができる。
高気圧エア・カプセルは気圧をあげて溶解型酸素を増やすことで酸素供給度をあげる仕組みといる。
高気圧エア・カプセルは「高気圧エア・チェンパー」「マイルド・チェンバー」と呼ばれる健康増進機器である。従来の医療用の「高気圧酸素治療」に使用される装置とあわせておおまかに下記にまとめる。
【０００６】
医療用多人数用の気室型 複数人数が入れる部屋タイプのもの ２−３気圧
医療用一人用のカプセル型 一人用で横たわって入るカプセルタイプ ２−３気圧
エア・カプセル（マイルド・チェンバー）一人用のテント型 一人用で横たわって入る持ち運びのできるポータブル型。宇宙服などに使用する素材でできていて圧があがると膨らむ。１．２〜３気圧。  
【考案の概要】
【考案が解決しようとする課題】
【０００７】
しかしながら、これらの装置は、カプセル型、テント型など装置自体がかなり大掛かりなものであり、費用がかかるという課題がある。
また、加圧下の空気を多量に呼吸器系から取り込むと活性酸素種を多量に取り込む可能性がある。
従って、本考案の課題は、呼吸器系に高圧の酸素を呼吸器系に送り込むことなしに、酸素セラピー可能な酸素セラピー装置を提供することである。
本考案の別の課題は、より安価な酸素セラピー装置を提供することである。
【課題を解決するための手段】
【０００８】
上記課題を解決するための本考案は、次の各項目に関する。
（１）人体の頭部を除く部位を収納するための酸素セラピー装置本体と、
前記酸素セラピー装置本体に形成され、人体の頭部を除く部位を該酸素セラピー装置本体に挿入するための開口部と、
１つまたは複数の配管によって前記酸素セラピー装置本体に接続され、大気圧より高圧のエアを生成し、該酸素セラピー装置本体の内部に供給する高圧エア供給源と、
を備えた酸素セラピー用装置であって、
前記開口部の周辺部分が弾性体で形成され、人体の頭部を除く部位を前記酸素セラピー装置本体に前記開口部を通じて挿入すると、該弾性体は前記人体の頭部と頭部以外の部位との境目に接触することで前記酸素セラピー装置本体内のエアを封止し、
前記酸素セラピー装置本体内のエアの圧力が１．２気圧〜３．０気圧の範囲になるように、前記高圧エア供給源が生成するエアの圧力を調整することを特徴とする酸素セラピー用装置。
（２）前記酸素セラピー装置本体が、人体の形状に沿って形成されたスーツ状であることを特徴とする請求項１に記載の酸素セラピー用装置。
（３）前記スーツ状の前記酸素セラピー装置本体は、人体の頭部を覆うためのフード部と、前記人体の鼻と口部分を覆うためのマスク部と、を有し、前記マスク部は大気と接続されていることを特徴とする請求項２に記載の酸素セラピー用装置。
【０００９】
このように、スーツ状の酸素セラピー装置は前記酸素セラピー装置本体は、呼吸部分が大気に開放されている・していないに関わらず新規である。
【考案の効果】
【００１０】
本考案によると、口、鼻等の呼吸器部分に高圧の酸素を曝すことなしに酸素セラピーを施すことができるので、高圧酸素の呼吸器への取り込みによるフリーラジカル腫の体内への過剰の取り込みを防止することが可能となる。
【図面の簡単な説明】
【００１１】
【図１】図１（ａ）〜（ｃ）は、本考案の第１実施形態に係る酸素セラピー装置の概略図である。
【図２】図２（ａ）および（ｂ）は、本考案の第２実施形態に係る酸素セラピー装置（スーツ）の概略図である。
【考案を実施するための形態】
【００１２】
以下、本考案の実施形態を添付図面に基づいて説明する。
図１（ａ）〜（ｃ）は、本考案の第１実施形態に係る酸素セラピー装置の概略図である。
【００１３】
図１（ａ）に示す通り、本実施形態に係る酸素セラピー装置は、治療者の身体を収納可能であり、なおかつ所定圧力の酸素に対する耐圧性の容器から構成される装置本体１０と、装置本体１０に接続された高圧エア供給源２０とから構成されている。装置本体１０は、図１に示す通り身体の頭部を除く身体を収納するプラスチックのテント状の素材で構成されており、その一部に少なくとも１つの酸素導入口１１を有している。頭部部分との境目には、内部に取り込んだ空気を装置外へ放出できずなおかつ身体への強い圧迫感を感じさせないように、ゴム等の弾性体により構成されている。
酸素導入口１１は、１つであっても複数個あってもよく、複数個ある場合には高圧エア供給源２０から分岐した配管により各酸素導入口に高圧エアを導入する。
【００１４】
高圧エア供給源２０は、所定圧力、例えば１．２から３気圧程度となるようなエアを導入するための従来公知のエア供給源であり、酸素ボンベであってもよく、あるいは酸素濃度を高くした濃縮酸素を供給するための供給源であってもよい。
【００１５】
高圧エア供給源からのエアは、所望により図示しないヒータ等により所定温度に暖めた後に装置本体１０に供給される。
【００１６】
なお、高圧エア供給源２０から酸素導入口１１のいずれかの箇所に供給圧力を測定するためのゲージを設けることが好ましい。
【００１７】
図１（ｂ）に示す実施形態では、装置本体１０の鼻および口の部分に開口部が設けられており、開口部から呼吸できる仕組みとなっている以外、図１（ａ）に示す実施形態と同様である。
所望に応じて、呼吸用のマスクを設けて呼吸する構成としてもよい。
【００１８】
図１（ｃ）に示す実施形態では、装置本体１０がスーツ状に形成されている実施形態であり、開口部の周辺部分は内部に取り込んだ空気を装置外へ放出できずなおかつ身体への強い圧迫感を感じさせないように、ゴム等の弾性体により構成されている。ゴム等の弾性体により構成されている。
この場合高圧エア供給源からのエアを均一に身体に導入するために複数の酸素導入口１１を有することが好ましい。
【００１９】
このように構成することによって、高圧エア中に含まれる活性酸素種・ラジカル種（オゾン、ＯＨラジカル、・・・、ＮＯラジカル）等を呼吸器系に取り込む可能性を抑えることができる。
なお、スーツ状（あるいは寝袋状）に装置本体を構成することによって、身体を包み高圧エアを保持する空間が少ないので高率よくエアを身体に吸収させることができるという利点がある。
【００２０】
次に、本考案の第２実施形態を図２に基づいて説明する。
図２（ａ）および（ｂ）は、本考案の第２実施形態に係る酸素セラピー装置（スーツ）の概略図である。
【００２１】
図２（ｂ）に示す実施形態では、図１（ｃ）に示す実施形態において、スーツが頭部を含む全身を覆うように形成されている点が相異する。
さらに、図２（ｂ）に示す実施形態では、口および鼻に相当する部分に大気と接続された呼吸用のマスク１２を設け、高圧エアに曝されることなく呼吸を行うことができる構成となっている。
【００２２】
このように構成することによって、非常に簡単な構成で、手軽に酸素セラピーを行うことが可能な酸素セラピー用のスーツを提供することが可能である。
しかも、口および鼻に相当する部分に大気と接続された呼吸用のマスクを設けた場合には第１実施形態と同様に高圧エア中に含まれる活性酸素種・ラジカル種（オゾン、ＯＨラジカル、・・・、ＮＯラジカル）等を呼吸器系に取り込む可能性を抑えることができる。さらに、スーツ状にすることによって、身体を包み高圧エアを保持する空間が少ないので高率よくエアを身体に吸収させることができるという利点がある。
【符号の説明】
【００２３】
１０ 装置本体
１１ 酸素導入口
１２ 呼吸マスク
２０ 高圧エア供給源
【図１】
0003165430.tif 000003
【図２】
0003165430.tif 000004